(57)【要約】【課題】電子機器から投影ユニットを分離した場合において、画像の投影と被写体の撮像を同時に行うことができる電子機器を提供する。【解決手段】  撮像ユニット４と、前記撮像ユニットに対して着脱可能な投影ユニット６と、前記撮像ユニットと前記投影ユニットとの間で無線通信を行う無線通信部１２２とを備える。【選択図】図５
2010243696.tif 000002
【特許請求の範囲】
【請求項１】
撮像ユニットと、
前記撮像ユニットに対して着脱可能な投影ユニットと、
前記撮像ユニットと前記投影ユニットとの間で無線通信を行う無線通信部と
を備えることを特徴とする電子機器。
【請求項２】
前記投影ユニットの着脱状態を検出する検出部と、
前記検出部により前記投影ユニットが分離されたことが検出された場合に、前記投影ユニットによる投影及び前記撮像ユニットによる撮像を同時に行うように制御する制御部と
を備えることを特徴とする請求項１記載の電子機器。
【請求項３】
前記検出部により前記投影ユニットが分離されたことが検出された場合に、前記投影ユニットによる投影と前記撮像ユニットによる撮像を同時に行うか、前記投影ユニットによる投影のみを行うかを選択する第一選択部を備えることを特徴とする請求項２記載の電子機器。
【請求項４】
表示部を備え、
前記第一選択部により前記投影ユニットによる投影と前記撮像ユニットによる撮像を同時に行うことが選択された場合に、前記表示部に前記撮像ユニットにより撮像された画像及び前記投影ユニットにより投影される画像を同時に表示することを特徴とする請求項３記載の電子機器。
【請求項５】
表示部と、
前記第一選択部により前記投影ユニットによる投影と前記撮像ユニットによる撮像を同時に行うことが選択された場合に、前記表示部に前記撮像ユニットにより撮像された画像と前記投影ユニットにより投影される画像の何れを表示するかを選択する第二選択部と
を備えることを特徴とする請求項３記載の電子機器。
【請求項６】
前記第一選択部により前記投影ユニットによる投影と前記撮像ユニットによる撮像を同時に行うことが選択された場合に、前記投影ユニットは前記撮像ユニットにより撮像された画像を直ちに投影することを特徴とする請求項３記載の電子機器。
【請求項７】
前記第一選択部により前記投影ユニットによる投影と前記撮像ユニットによる撮像を同時に行うことが選択された場合に、前記撮像ユニットにより撮像が行われたときは、前記投影ユニットにより投影されている画像に代えて、前記撮像ユニットにより撮像した画像を投影することを特徴とする請求項３記載の電子機器。
【請求項８】
前記投影ユニット及び前記撮像ユニットは、それぞれ電池を収納する電池室を備えることを特徴とする請求項１〜７の何れか一項に記載の電子機器。
【請求項９】
前記投影ユニットを前記撮像ユニットに装着した状態において、前記投影ユニット及び前記撮像ユニットに対して、何れか一方の前記電池室に収納されている電池から電力供給を行うことを特徴とする請求項８記載の電子機器。
【請求項１０】
前記投影ユニットを前記撮像ユニットに装着した状態において、前記投影ユニット及び前記撮像ユニットに対して、何れの前記電池室に収納されている前記電池から電力供給を行うかを選択する電池選択部を備えることを特徴とする請求項９記載の電子機器。
【請求項１１】
前記投影ユニットを前記撮像ユニットに装着した状態において、前記投影ユニットまたは前記撮像ユニットの何れか一方の前記電池室に収納されている電池の残量が予め設定されている所定の閾値以下である場合には、前記所定の閾値を超える残量を有する前記電池から電源供給を行うことを特徴とする請求項８記載の電子機器。
【請求項１２】
前記投影ユニットがクレードルに装着された場合には、前記投影ユニットは前記クレードルから電力供給を受けることを特徴とする請求項８記載の電子機器。
【請求項１３】
前記投影ユニットは、前記無線通信部を介して画像データを受信した場合に、前記画像データが所定の前記撮像ユニットから送信されたものであるか否かを確認する確認手段を備え、
前記画像データが所定の前記撮像ユニットから送信されたものであることが確認された場合に、受信した前記画像データの投影を行うことを特徴とする請求項1記載の電子機器。
【発明の詳細な説明】
【技術分野】
【０００１】
本発明は、電子機器に関するものである。
【背景技術】
【０００２】
プロジェクタ機能を有するカメラが知られている（例えば、特許文献１参照）。
【先行技術文献】
【特許文献】
【０００３】
【特許文献１】特開２００５−２５０３９２号公報
【発明の概要】
【発明が解決しようとする課題】
【０００４】
しかし、このカメラにおいてはカメラ本体に投影ユニットが一体に構成されているため、両者を分離させて画像を投影することはできなかった。
【０００５】
本発明の目的は、電子機器から投影ユニットを分離した場合において、画像の投影と被写体の撮像を同時に行うことができる電子機器を提供することである。
【課題を解決するための手段】
【０００６】
本発明の電子機器は、撮像ユニットと、前記撮像ユニットに対して着脱可能な投影ユニットと、前記撮像ユニットと前記投影ユニットとの間で無線通信を行う無線通信部とを備えることを特徴とする。
【発明の効果】
【０００７】
本発明によれば、電子機器から投影ユニットを分離した場合において、画像の投影と被写体の撮像を同時に行うことができる。
【図面の簡単な説明】
【０００８】
【図１】実施の形態に係る電子機器の前面を示す斜視図である。
【図２】実施の形態に係る電子機器の背面を示す斜視図である。
【図３】実施の形態に係る電子機器からプロジェクタを分離した前面を示す斜視図である。
【図４】実施の形態に係る電子機器を底面側から視た斜視図である。
【図５】実施の形態に係る電子機器のシステム構成を示すブロック図である。
【図６】実施の形態に係るデジタルカメラにより画像の投影を行っている状態を示す図である。
【図７】実施の形態に係るデジタルカメラにより画像の投影を行っている状態を示す図である。
【発明を実施するための形態】
【０００９】
以下、図面を参照して本発明の実施の形態に係る電子機器について説明する。図１は、実施の形態に係る電子機器の前面を示す斜視図である。電子機器２は撮像ユニット４に対して投影ユニット６を着脱することができるデジタルカメラである。
【００１０】
撮像ユニット４の筐体８の前面１０には、被写体光を入射させる撮影窓１２、被写体を照射する光を射出するフラッシュ窓１４が設けられている。また、筐体８の上面には、電源スイッチ１８、レリーズ指示を行うレリーズボタン２０、カメラ撮影を行う撮影モードとプロジェクタ投影を行う投影モードとを切り換えるＰＪボタン２２が設けられている。また、投影ユニット６の筐体９の前面１１には、画像を投影するプロジェクタ投影窓１６が設けられている。
【００１１】
図２は、実施の形態に係る電子機器の背面を示す斜視図である。撮像ユニット４の筐体８の背面２６には、撮像画像や投影画像を表示するＬＣＤ表示部２８、投影する画像の選択等を行うマルチセレクタ３０、音量調整ボタン３２等の操作部が設けられている。また、投影ユニット６の筐体９の背面２７には、撮像ユニット４に対して投影ユニット６を着脱させる分離ロックボタン３４、投影ユニット６を図示しないクレードルに装着するクレードル接点３６が設けられている。
【００１２】
図３は、実施の形態に係る電子機器において、撮像ユニット４から投影ユニット６を分離した状態を示す斜視図である。撮像ユニット４の接合面３９には、撮像ユニット４と投影ユニット６の着脱を行う分離ロック爪受け４１、撮像ユニット４と投影ユニット６を接続し、双方の間で電力の供給等を行うことを可能とする取り付け部４４が設けられている。また、投影ユニット６の接合面４０には、分離ロック爪４２、取り付け部４６が設けられている。
【００１３】
図４は、実施の形態に係る電子機器の底面を示す斜視図である。撮像ユニット４の底面５４には電池を格納する電池室の蓋５０が設けられている。また、投影ユニット６の底面５５には電池を格納する電池室の蓋５２が設けられている。
【００１４】
図５は、実施の形態に係る電子機器のシステム構成を示すブロック図である。電子機器２は撮像ユニット４と投影ユニット６とからなり、取り付け部４４、４６を介して着脱可能に構成されている。
【００１５】
撮像ユニット４はＣＰＵ１００を備え、ＣＰＵ１００には、操作部１０２、ＬＣＤ表示部２８の表示制御を行う表示制御部１０４、被写体を撮像するための撮像素子を有する撮像部１１２、記憶部１１４、撮像画像、投影画像、種々のデータを記憶するメモリカード１１６、バッテリ１２０からの電力の供給を制御する電源制御部１１８、投影ユニット６との間の無線通信を行う無線通信部１２２が接続されている。
【００１６】
ここで、操作部１０２は、電源スイッチ１８、レリーズボタン２０、ＰＪボタン２２、マルチセレクタ３０、音量調節ボタン３２等を含む。また、撮像部１１２は、撮影制御部１０８、撮像素子１２４、撮影レンズ１２６、レンズ駆動部１２８を備えている。なお、撮像素子１２４にはＣＣＤなどが用いられる。撮影制御部１０８は、ＣＰＵ１００からの指示により、撮像素子１２４及びレンズ駆動部１２８の駆動制御を行う。また、記憶部１１４は撮像素子１２４から出力された撮像信号を図示しないＡ／Ｄ変換部においてＡ／Ｄ変換することにより生成された画像データを記憶する。また、電源制御部１１８によりバッテリ１２０から撮像ユニット４内の各部へ電力の供給が行われる。
【００１７】
投影ユニット６はＣＰＵ２００を備え、ＣＰＵ２００には、記憶部２１４、メモリカード２１６、記憶部２１４やメモリカード２１６に記憶された画像や種々のデータを投影する投影部２１２、バッテリ２２０からの電力の供給を制御する電源制御部２１８、撮像ユニット４と投影ユニット６の間の無線通信を行う無線通信部２２２、ＡＣアダプタから電力の供給を行うクレードル接点３６が接続されている。
【００１８】
ここで、投影部２１２は、投影レンズ２３０、液晶パネル２３２、ＬＥＤ光源２３４、投影制御部２１０、レンズ駆動部２３６を備えている。投影制御部２１０は、ＣＰＵ２００から出力される投影指示に基づきＬＥＤ光源２３４、液晶パネル２３２及びレンズ駆動部２３６の制御を行い画像の投影を行う。また、電源制御部２１８によりバッテリ２２０から投影ユニット６内の各部への電力の供給が行われる。
【００１９】
次に、実施の形態に係る電子機器の動作について説明する。撮像ユニット４のＣＰＵ１００は、取り付け部４４、４６を介して投影ユニット６のＣＰＵ２００との間で所定の信号の送受信を行う。撮像ユニット４と投影ユニット６との間の通信が成立した場合には、ＣＰＵ１００は撮像ユニット４に投影ユニット６が装着されていると判定し、撮像ユニット４を撮像部１１２により被写体の撮像を行う撮影モードに設定する。
【００２０】
撮影モードに設定されると、レリーズボタン２０による撮影指示に応じて撮像素子１２４により撮像が行われ、撮像素子１２４から撮像制御部１０８を介して読み出された撮像信号に基づく画像データは記憶部１１４に記憶され、Ｅｘｉｆ等の所定のファイル形式の画像ファイルとしてメモリカード１１６に記憶される。
【００２１】
ここで、操作者によりＰＪボタン２２が押下されると、撮影モードから投影ユニット６により画像の投影を行う投影モードに切替えられる。投影モードに設定されると、ＣＰＵ１００はメモリカード１１６に記憶された画像データを読み出し、取り付け部４４を介して投影ユニット６に対して送信する。投影ユニット６のＣＰＵ２００は、取り付け部４６を介して画像データを受信すると投影部２１２の投影制御部２１０を制御して受信した画像データに基づく画像の投影を行う。
【００２２】
一方、撮像ユニット４と投影ユニット６との間の通信が成立せず、ＣＰＵ１００が撮像ユニット４から投影ユニット６が分離されていると判定した場合には、撮像ユニット４による撮像と投影ユニット６による投影を同時に行う同時モードが設定される。同時モードが設定された場合には、操作者は分離した投影ユニット６を投影面に対して最適な投影距離で設置する。撮像ユニット４においては、レリーズボタン２０による撮影指示に応じて撮像素子１２４により被写体の撮像が行われ、撮像素子１２４から撮像制御部１０８を介して読み出された撮像信号に基づく画像データは記憶部１１４に記憶され、Ｅｘｉｆ等の所定のファイル形式の画像ファイルとしてメモリカード１１６に記憶される。また、ＣＰＵ１００はメモリカード１１６に記憶された画像データの中からマルチセレクタ３０等の操作により選択された画像データを読み出し、無線通信部１２２を介して投影ユニット６に対して送信する。投影ユニット６のＣＰＵ２００は、無線通信部２２２を介して画像データを受信すると投影部２１２の投影制御部２１０を制御して受信した画像データに基づく画像の投影を行う。
【００２３】
この実施の形態に係るデジタルカメラによれば、撮像ユニット４から投影ユニット６が分離された状態で投影ユニット６による投影と撮像ユニット４による撮像を同時に行うことができ、良好な操作性を得ることができる。また、撮像ユニット４に投影ユニット６を装着した場合には、通常のデジタルカメラ及びプロジェクタとして使用することができる。
【００２４】
なお、上述の実施の形態においては、撮像ユニット４から投影ユニット６が分離された場合に同時モードの設定が行われるが、撮像ユニット４から投影ユニット６が分離された場合において、同時モードに設定するか投影ユニット６による投影のみを行う投影モードに設定するかを、操作者が撮像ユニット４のマルチセレクタ３０を操作することにより選択可能としてもよい。
【００２５】
また、上述の実施の形態において、撮像ユニット４から投影ユニット６が分離され、同時モードが設定されている場合に、図６に示すように、表示制御部１０４により２分割されたＬＣＤ表示部の第１表示部７２に投影部２１２により投影される画像を表示し、第２表示部７４に撮像部１１２により撮像された画像を表示するようにしてもよい。また、撮像ユニット４のマルチセレクタ３０を操作することにより、図７に示すように投影画像及び撮像画像の何れか一方を選択し、選択した画像をＬＣＤ表示部２８に表示してもよい。
【００２６】
また、上述の実施の形態において、同時モードが設定されている場合において、撮像部１１２により撮像された画像をＬＣＤ表示部２８に表示させ、更にこの画像を無線通信部１２２を介して投影ユニット６に送信し、投影ユニット６においてその画像を直ちに投影部２１２により投影してもよい。
【００２７】
また、上述の実施の形態において、同時モードが設定されている場合において、撮像部１１２により撮像が行われたときには、投影部２１２により投影されている画像に代えて、撮像部１１２により撮像した画像を投影部２１２により投影してもよい。即ち、投影ユニット６は撮像ユニット４で撮像された画像の画像データを無線通信部２２２を介して受信した場合には、投影部２１２により投影されている画像に代えて受信した画像データに基づく画像の投影を行う。
【００２８】
また、上述の実施の形態において、同時モードが設定されている場合において、投影ユニット６のメモリカード２１６に保存されている画像データを投影するようにしてもよい。即ち、ＣＰＵ２００はメモリカード２１６に記憶されている画像データに付加されているサムネイル画像データ等の画像情報を読み出して、無線通信部２２２を介して撮像ユニット４に対して送信する。撮像ユニット４のＣＰＵ１００は、無線通信部１２２を介して画像情報を受信すると、この画像情報をＬＣＤ表示部２８に表示する。操作者がＬＣＤ表示部２８に表示された画像情報の中から、マルチセレクタ３０の操作等により投影ユニット６により投影する画像の画像情報の選択を行うと、この選択情報が無線通信部１２２を介して投影ユニット６に送信される。投影ユニット６においては、選択情報を受信すると、この選択情報により示される画像の画像データをメモリカード２１６から読み出して、投影部２１２により、この画像データに基づく画像の投影を行う。
【００２９】
また、上述の実施の形態において、撮像ユニット４に投影ユニット６が装着されたときに、ＣＰＵ１００はメモリカード１１６に記憶された画像データを読み出し、取り付け部４４を介して投影ユニット６に対して転送するようにしてもよい。この場合には、投影ユニット６のＣＰＵ２００は、取り付け部４６を介して画像データを受信し、メモリカード２１６に記憶させる。
【００３０】
また、上述の実施の形態において、同時モードが設定されている場合において、撮像ユニット４から投影ユニット６に対して画像データの送信を行う場合には、画像データに電子機器のシリアルナンバを付して送信し、投影ユニット６において画像データに付されているシリアルナンバと投影ユニット６のシリアルナンバを照合し、一致すれば投影部２１２の投影制御部２１０を制御して受信した画像データに基づく画像の投影を行い、一致しなければ画像の投影を行わないようにしてもよい。
【００３１】
次に、上述の実施の形態において、撮像ユニット４に投影ユニット６が装着されている場合の電力の供給について説明する。ＣＰＵ１００は電源制御部１１８を介してバッテリ１２０の残量を検出し、予め設定されている所定の閾値と比較する。バッテリ１２０の残量が所定の閾値を超えている場合には、ＣＰＵ１００は電源制御部１１８を制御してバッテリ１２０から撮像ユニット４及び投影ユニット６へ電力の供給を行う。一方、バッテリ１２０の残量が所定の閾値以下である場合には、ＣＰＵ１００は取り付け部４４を介してＣＰＵ２００に対して電力供給を指示する制御信号を送信する。ＣＰＵ２００はこの制御信号を受信した場合には、電源制御部２１８を制御してバッテリ２２０から撮像ユニット４及び投影ユニット６へ電力の供給を行う。
【００３２】
また、上述の実施の形態において、撮像ユニット４に投影ユニット６が装着されている場合において、ＣＰＵ２００は電源制御部２１８を制御してバッテリ２２０の残量を検出し、取り付け部４６を介してＣＰＵ１００に残量情報を送信するようにしてもよい。この場合、ＣＰＵ１００は取り付け部４４を介してバッテリ２２０の残量を受信し、電源制御部１１８を介して検出したバッテリ１２０の残量と比較する。バッテリ１２０の残量がバッテリ２２０の残量を超えている場合には、ＣＰＵ１００は電源制御部１１８を制御してバッテリ１２０から撮像ユニット４及び投影ユニット６へ電力の供給を行う。一方、バッテリ１２０の残量がバッテリ２２０の残量以下である場合には、ＣＰＵ１００は取り付け部４４を介してＣＰＵ２００に対して電力供給を指示する制御信号を送信する。ＣＰＵ２００は取り付け部４６を介してこの制御信号を受信した場合には、電源制御部２１８を制御してバッテリ２２０から撮像ユニット４及び投影ユニット６へ電力の供給を行う。
【００３３】
また、上述の実施の形態において、撮像ユニット４に投影ユニット６が装着されている場合において、撮像ユニット４のマルチセレクタ３０を操作することにより、操作者が電力を供給するバッテリとして、撮像ユニット４のバッテリ１２０または投影ユニット６のバッテリ２２０の選択を行うようにしてもよい。なお、電力を供給するバッテリの優先順位を設定できるようにしてもよい。
【００３４】
また、上述の実施の形態において、撮像ユニット４に投影ユニット６が装着されている場合において、電子機器２を図示しないクレードルに装着することにより、クレードルを介して直接ＡＣアダプタから電力の供給を受けることができるようにしてもよい。即ち、投影ユニット６のクレードル接点３６がクレードルに装着されると、ＣＰＵ２００はクレードル接点３６を介して撮像ユニット４及び投影ユニット６へ電力の供給を行う。ここで、撮像ユニット４のマルチセレクタ３０を操作することにより、操作者が電力を供給するユニットとして、撮像ユニット４または投影ユニット６を選択できるようにしてもよい。なお、クレードルに投影ユニット６のみが装着されている場合には、ＣＰＵ２００はクレードル接点３６を介して投影ユニット６へ電力の供給を行う。
【００３５】
また、上述の実施の形態において、撮像ユニット４に投影ユニット６が装着されており、電子機器２がクレードルに装着されている場合において、電力の供給と同時に撮像ユニット４における被写体の撮像及び投影ユニット６における画像の投影の少なくとも一方を行うようにしてもよい。
【００３６】
また、上述の実施の形態において、撮像ユニット４から投影ユニット６が分離されている場合には、電源制御部１１８はバッテリ１２０から撮像ユニット４の各部へ電力の供給を行う。また、投影ユニット６の電源制御部２１８はバッテリ２２０から投影ユニット６の各部へ電力の供給を行う。
【００３７】
また、上述の実施の形態において、撮像ユニット４から投影ユニット６が分離されており、投影ユニット６がクレードルに装着されている場合において、電力の供給と同時に投影ユニット６における画像の投影を行うようにしてもよい。
【００３８】
また、上述の実施の形態において、撮像ユニット４から投影ユニット６が分離されている場合において、ＣＰＵ１００は電源制御部１１８を介してバッテリ１２０の残量を検出して、予め設定されている所定の閾値と比較し、その結果、バッテリ１２０の残量が所定の閾値以下である場合には、投影ユニット６のバッテリ２２０から電力の供給を受けるために、ＬＣＤ表示部２８において「撮像ユニット４に投影ユニット６を装着して下さい。」等のメッセージを表示させるようにしてもよい。
【００３９】
また、上述の実施の形態において、撮像ユニット４から投影ユニット６が分離されている場合において、ＣＰＵ２００は電源制御部２１８を介してバッテリ２２０の残量を検出して、予め設定されている所定の閾値と比較し、その結果、バッテリ２２０の残量が所定の閾値以下である場合には、ＣＰＵ２００は無線通信部２２２を介して撮像ユニット４に対して所定の信号を送信する。撮像ユニット４のＣＰＵ１００は、無線通信部１２２を介して信号を受信すると、投影ユニット６が撮像ユニット４のバッテリ１２０から電力の供給を受けられるように、ＬＣＤ表示部２８において「撮像ユニット４に投影ユニット６を装着して下さい。」等のメッセージを表示させるようにしてもよい。
【００４０】
また、上述の実施の形態において、撮像ユニット４に投影ユニット６が装着されている場合において、バッテリ１２０及びバッテリ２２０の残量がともに所定の閾値以下である場合には、ＬＣＤ表示部２８において「バッテリの残量が不足しています。」等のメッセージを表示した後電源をオフにするようにしてもよい。
【００４１】
また、上述の実施の形態において、撮像ユニット４に投影ユニット６が装着されている場合に、バッテリ１２０とバッテリ２２０の双方から撮像ユニット４及び投影ユニット６の少なくとも一方に電力の供給を行うようにしてもよい。
【産業上の利用可能性】
【００４２】
本発明は、プロジェクタ機能を有するカメラに利用することができる。
【符号の説明】
【００４３】
２…電子機器、４…撮像ユニット、６…投影ユニット、８、９…筐体、１２…撮影窓、１４…フラッシュ窓、１６…投影窓、１８…電源スイッチ、２０…レリーズボタン、２２…ＰＪボタン
【図１】
2010243696.tif 000003
【図２】
2010243696.tif 000004
【図３】
2010243696.tif 000005
【図４】
2010243696.tif 000006
【図５】
2010243696.tif 000007
【図６】
2010243696.tif 000008
【図７】
2010243696.tif 000009